(57)【要約】【課題】大きさが異なる筐体に対して共通に使用できる複数のプリント基板を備えた電子装置を提供する。【解決手段】筐体と、前記筐体に収納され、接続部材を介して互いに電気的に接続された第１及び第２プリント基板と、前記筐体の外部から認識可能であり、前記第１及び第２プリント基板のそれぞれに接続された第１及び第２電子部品と、を備え、前記第１及び第２プリント基板は、前記筐体と大きさが異なる、他の装置の他の筐体に収納され接続部材を介して互いに電気的に接続された第３及び第４プリント基板のそれぞれと大きさ、形状が同じであり、前記第３及び第４プリント基板のそれぞれには前記他の筐体の外部から認識可能であり前記第１及び第２電子部品と同じ第３及び第４電子部品が接続され、前記第１及び第２プリント基板間の距離と、前記第３及び第４プリント基板間の距離とは異なっている、電子装置。【選択図】図６
2014137645.tif 000002
【特許請求の範囲】
【請求項１】
筐体と、
前記筐体に収納され、接続部材を介して互いに電気的に接続された第１及び第２プリント基板と、
前記筐体の外部から認識可能であり、前記第１及び第２プリント基板のそれぞれに接続された第１及び第２電子部品と、を備え、
前記第１及び第２プリント基板は、前記筐体と大きさが異なる、他の装置の他の筐体に収納され接続部材を介して互いに電気的に接続された第３及び第４プリント基板のそれぞれと大きさ、形状が同じであり、
前記第３及び第４プリント基板のそれぞれには前記他の筐体の外部から認識可能であり前記第１及び第２電子部品と同じ第３及び第４電子部品が接続され、
前記第１及び第２プリント基板間の距離と、前記第３及び第４プリント基板間の距離とは異なっている、電子装置。
【請求項２】
前記第１プリント基板は、前記筐体の縁に沿って配置されており、
前記第３プリント基板は、前記他の筐体の縁に沿って配置されている、請求項１の電子装置。
【請求項３】
前記第１及び第２プリント基板間の距離は、前記筐体の大きさに対応し、
前記第３及び第４プリント基板間の距離は、前記他の筐体の大きさに対応している、請求項１又は２の電子装置。
【請求項４】
前記筐体及び前記他の筐体は、それぞれ矩形状であり、
前記第１及び第３プリント基板は、それぞれ前記筐体及び前記他の筐体の一の角部から同じ距離だけ離れて配置されている、請求項１乃至３の何れかの電子装置。
【請求項５】
前記第１及び第２電子部品の少なくとも一つは、外部装置を接続可能な接続部、情報を表示可能な表示部、記憶媒体再生部、操作部、センサ、カメラの少なくとも一つを含む、請求項１乃至４の何れかの電子装置。
【請求項６】
前記コネクタには、前記筐体及び前記他の筐体を択一的に支持可能な支持装置が接続される、請求項１乃至５の何れかの電子装置。
【発明の詳細な説明】
【技術分野】
【０００１】
本発明は、電子装置に関する。
【背景技術】
【０００２】
筐体内にプリント基板が収納されている電子装置が知られている。特許文献１には、このようなプリント基板が開示されている。
【先行技術文献】
【特許文献】
【０００３】
【特許文献１】特開２００８−１８１９０４号公報
【発明の概要】
【発明が解決しようとする課題】
【０００４】
筐体の大きさが異なっている電子装置に対しては、筐体の大きさに対応するように大きさの異なるプリント基板を使用する。しかしながら、筐体毎の大きさに対応させて大きさの異なるプリント基板を製造するとコストが上昇する。そこで、大きさの異なる筐体間でも同一のプリント基板を使用することが考えられる。
【０００５】
このような筐体には、コネクタ等のユーザが筐体外部から認識可能な複数の電子部品が異なる位置に設けられている場合がある。このような電子部品は、例えばユーザの利便性等を考慮して筐体の所望の位置に設けられている。例えば、筐体の一方の縁に一の電子部品が設けられ、他方の縁に他の電子部品が設けられる場合がある。このような場合、大きさが異なる筐体の間では、両電子部品間の距離も異なる。
【０００６】
このような複数の電子部品は、筐体内に収納された一のプリント基板に実装又は接続されている。このため、複数の電子部品の位置はプリント基板の位置に依存する。このような一のプリント基板を大きさが異なる筐体間でも共用しようとすると、大きさが異なる筐体の双方でこられ複数の電子部品をそれぞれの筐体上での所望の位置に配置できないことになる。
【０００７】
本発明は、大きさが異なる筐体に対して共通に使用できる複数のプリント基板を備えた電子装置を提供することを目的とする。
【課題を解決するための手段】
【０００８】
本明細書に開示の電子装置は、筐体と、前記筐体に収納され、接続部材を介して互いに電気的に接続された第１及び第２プリント基板と、前記筐体の外部から認識可能であり、前記第１及び第２プリント基板のそれぞれに接続された第１及び第２電子部品と、を備え、前記第１及び第２プリント基板は、前記筐体と大きさが異なる、他の装置の他の筐体に収納され接続部材を介して互いに電気的に接続された第３及び第４プリント基板のそれぞれと大きさ、形状が同じであり、前記第３及び第４プリント基板のそれぞれには前記他の筐体の外部から認識可能であり前記第１及び第２電子部品と同じ第３及び第４電子部品が接続され、前記第１及び第２プリント基板間の距離と、前記第３及び第４プリント基板間の距離とは異なっている。
【発明の効果】
【０００９】
大きさが異なる筐体に対して共通に使用できる複数のプリント基板を備えた電子装置を提供できる。
【図面の簡単な説明】
【００１０】
【図１】図１Ａ、１Ｂは、ノート型コンピュータの説明図である。
【図２】図２は、ノート型コンピュータの説明図である。
【図３】図３Ａ、３Ｂは、大きさが異なるノート型コンピュータの説明図である。
【図４】図４は、大きさが異なるノート型コンピュータの説明図である。
【図５】図５は、ポートリプリケータの説明図である。
【図６】図６は、筐体の内部構造の説明図である。
【図７】図７は、筐体の内部構造の説明図である。
【図８】図８は、プリント基板の裏面を示した図である。
【発明を実施するための形態】
【００１１】
ノート型コンピュータを電子装置の一例として説明する。図１Ａ、１Ｂ、２は、本実施例のノート型コンピュータ１（以下、コンピュータ１と称する）の説明図である。図１Ａ、１Ｂでは、着脱可能なポートリプリケータ８０が装着されたコンピュータ１を示している。コンピュータ１は、ヒンジＨにより開閉可能に連結された筐体１０、２０を有している。図２は、筐体１０の底面１２を示している。筐体２０には、ディスプレイＤ、カメラＣが設けられている。ディスプレイＤは、タッチパネルであってもよい。
【００１２】
筐体１０は、略矩形状であり、上面１１、上面１１の反対側にある底面１２、略直線状の縁１３〜１６を含む。縁１３、１４は対向し平行である。縁１５、１６は対向し平行である。縁１３、１４のそれぞれは、縁１５、１６のそれぞれに直交する。各縁１３、１４は、各縁１５、１６よりも長い。縁１４は、コンピュータ１を操作するユーザの手前側に位置する。縁１５、１６は、筐体１０の側面に位置する。
【００１３】
筐体１０の上面１１には、コンピュータ１を操作するためのキーボードＫ、タッチパッドＴ、ユーザ認証に使用される指紋センサＳが設けられている。筐体１０内には、コンピュータ１の動作全体を制御するための後述するマザーボードが収納されている。縁１４の左側には、コンピュータ１の状態を表示するためのインジケータ部Ｉが設けられている。インジケータ部Ｉは、筐体１０の外側面に形成された複数の光透過部からの光の点灯状態が変化することにより、例えばコンピュータ１の充電状態やスタンバイ状態等を表示する。縁１５には、外部装置を接続可能な複数のコネクタ群１５ｃ、筐体１０内から空気が外部に排出される排気口１５ｆが設けられている。縁１６にも同様に、外部装置を接続可能な複数のコネクタ群１６ｃが設けられている。縁１６には、光ディスクドライブ（以下、ドライブと称する）ＯＤＤが設けられている。
【００１４】
図２に示すように、底面１２側には、縁１３側に着脱可能なバッテリＢが装着され、ポートリプリケータ８０と接続されるコネクタ３８ｃが設けられている。コネクタ３８ｃ近傍には、ポートリプリケータ８０と係合する２つの係合穴１８ｅが設けられている。底面１２の縁１３側には、ゴム製の脚部１２ｇ５、１２ｇ６が設けられている。
【００１５】
図３Ａ、３Ｂ、４は、コンピュータ１とは異なる大きさのコンピュータ１ａの説明図である。尚、コンピュータ１と同一、類似の部分については同一、類似の符号を付することにより重複する説明を省略する。コンピュータ１ａは、コンピュータ１と同種の電子装置の一例である。コンピュータ１ａは、ヒンジＨａで開閉可能に連結された筐体１０ａ、２０ａを含む。１ａは、コンピュータ１よりも大きく、具体的には筐体１０ａ、２０ａは、それぞれ筐体１０ａ、２０ａよりも大きい。従って、ディスプレイＤａは、ディスプレイＤよりも大きく、キーボードＫａはキーボードＫよりも大きい。キーボードＫは、ＱＷＥＲＴＹキーであるのに対し、キーボードＫａは、ＱＷＥＲＴＹキーに加えてテンキーを含む。ディスプレイＤ、Ｄａは、インチサイズが異なっている。このため、筐体１０、１０ａもインチサイズが異なっており、両者は相似形である。筐体１０、１０ａは、筐体及び他の筐体の一例である。
【００１６】
縁１３ａ〜１６ａは、それぞれ縁１３〜１６よりも長い。筐体１０ａ、１０には、それぞれ同じタッチパッドＴ、インジケータ部Ｉ、コネクタ群１５ｃ、１６ｃ、排気口１５ｆ、指紋センサＳが設けられている。筐体１０上のタッチパッドＴは、縁１４の中心に近い位置にあるのに対し、筐体１０ａに設けられたタッチパッドＴは、縁１４ａの中心よりも左側にずれた位置に設けられている。筐体１０ａのＱＷＥＲＴＹキーのスペースキーの位置に対応させているからである。図２、４に示すように、筐体１０の底面１２、筐体１０ａの底面１２ａにはそれぞれ同じバッテリＢ、コネクタ３８ｃ、係合穴１８ｅが設けられている。
【００１７】
図５は、ポートリプリケータ８０の説明図である。ポートリプリケータ８０は、コンピュータ１、１ａに様々な周辺機器を接続するために用いられる。ポートリプリケータ８０は、筐体１０、１０ａの何れに接続、支持可能である。支持面８２は、筐体１０、１０ａの底面１２、１２ａを支持する。支持面８２は、略矩形状に設けられている。支持面８２に設けられたコネクタ８２ｃは、筐体１０、１０ａのコネクタ３８ｃに接続可能である。支持面８２の長手方向の縁には、長手方向に延びたガイド壁８３が形成され、支持面８２の短手方向の縁の一方には、短手方向に沿って延びたガイド壁８５が形成されている。ガイド壁８３、８５は、コネクタ８２ｃに筐体１０、１０ａのコネクタ３８ｃを接続する際に、これらを接続可能な位置に筐体１０、１０ａを案内する。これにより、筐体１０、１０ａのポートリプリケータ８０への装着が容易となっている。
【００１８】
支持面８２には、ガイド壁８５近傍にガイド壁８５に沿って延びた溝８２ｇ５、ガイド壁８３の近傍にガイド壁８３と同じ方向に延びた溝８２ｇ６が形成されている。筐体１０、１０ａをポートリプリケータ８０に装着した際に、脚部１２ｇ５、１２ｇ６がそれぞれ溝８２ｇ５、８２ｇ６に収まる。尚、筐体１０の脚部１２ｇ５、１２ｇ６間の距離は、筐体１０ａの脚部１２ｇ５、１２ｇ６間の距離よりも短い。従って、筐体１０、１０ａの双方の脚部１２ｇ５、１２ｇ６が収まるように、溝８２ｇ６はポートリプリケータ８０の長手方向に延びている。
【００１９】
係合突起８２ｅは、筐体１０、１０ａの係合穴１８ｅと係合してポートリプリケータ８０に対する筐体１０、１０ａの位置ずれを防止する。これにより、ポートリプリケータ８０のコネクタ８２ｃとコネクタ３８ｃとが接続された状態でポートリプリケータ８０に対して筐体１０をずらすような力が作用した場合に、コネクタ８２ｃにかかる負荷が低減される。
【００２０】
ガイド壁８３の背面側には、複数の外部機器を接続可能な複数のコネクタが設けられている。コネクタは、例えばシリアルポートやパラレルポート、ＰＳ／２ポート、ＵＳＢポート、外部ディスプレイ出力コネクタ等である。また、ガイド壁８５にはポートリプリケータ８０への電源供給を切り替える電源スイッチ８５ｓが設けられている。また、図１Ａ、３Ａに示すように、ガイド壁８５の外側の面には、電源ケーブル等が接続されるポート群８５ｐが形成されている。
【００２１】
図６は、筐体１０の内部構造の説明図である。図７は、大きさが異なる筐体１０ａの内部構造の説明図である。筐体１０、１０ａは、それぞれ上面１１を画定するフロントケース、底面１２を画定するリアケースを含む。図６は、フロントケースが取外された筐体１０を示している。図７についても同様である。筐体１０、１０ａ内には、形状及び大きさが同じプリント基板３０、４０、５０、６０、ファンＦ、ラジエータＲ、バッテリＢ、ドライブＯＤＤ、ハードディスクドライブ（以下、ドライブと称する）ＨＤＤ等が収納されている。筐体１０、１０ａは大きさは異なっているが、収納されているプリント基板３０、４０、５０、６０、ファンＦ、ラジエータＲ、バッテリＢ、ドライブＯＤＤ、ＨＤＤは同じである。尚、筐体１０ａのあまったスペースには、筐体１０には設けられていないプリント基板７０が収納されている。プリント基板７０にはコネクタが実装されケーブルによりプリント基板３０と電気的に接続されている。
【００２２】
図８は、プリント基板３０の裏面を示している。プリント基板３０は、マザーボードであり、コンピュータ全体を制御するためのＣＰＵやメモリＭ等が裏面に実装されている。また、プリント基板３０の裏面には、図１Ａ、３Ａで示したコネクタ群１５ｃ、図２、４で示したコネクタ３８ｃ、ドライブＨＤＤに接続するコネクタ３２Ｈｃ、バッテリＢに接続するコネクタ３２Ｂｃが実装されている。また、プリント基板３０の裏面には、後述するコネクタ３５ｃが実装されている。
【００２３】
最初に筐体１０について説明する。図６に示すように、プリント基板３０は縁１５側に配置され、プリント基板４０は縁１４側に配置され、プリント基板５０は、ドライブＯＤＤとプリント基板３０との間に配置され、プリント基板６０は縁１６側に配置されている。プリント基板４０、５０はプリント基板３０に隣接しているが、プリント基板６０は、ドライブＨＤＤを挟むようにしてプリント基板３０から間隔をあけて配置されている。上述したようにプリント基板３０の裏面にはコネクタ群１５ｃが実装されている。プリント基板４０の表面には、図１Ａ、１Ｂに示したインジケータ部Ｉ用の点灯状態を変化させるための発光ダイオードＬが複数実装されている。プリント基板６０の裏面には、図１Ｂに示したコネクタ群１６ｃが実装されている。プリント基板５０の裏面には、ドライブＯＤＤと接続されるコネクタ５２Ｏｃが実装されている。即ち、プリント基板３０、４０、５０、６０は、それぞれ、コネクタ群１５ｃ、発光ダイオードＬ、コネクタ群１６ｃ、ドライブＯＤＤに接続されている。
【００２４】
コネクタ群１５ｃ、１６ｃ、ドライブＯＤＤ、発光ダイオードＬは、筐体１０の外部から認識可能に設ける必要のある電子部品の一例である。コネクタ群１５ｃ、１６ｃは、外部装置を接続可能な接続部の一例である。ドライブＯＤＤは、記憶媒体再生部の一例である。発光ダイオードＬは、所定の情報を表示する表示部の一例である。尚、発光ダイオードＬは、筐体１０の外部からその点灯状態を認識できるため、筐体１０の外部から発光ダイオードＬの存在を認識可能である。
【００２５】
尚、プリント基板３０の表面には、フレキシブルプリント基板を介してキーボードＫと接続されるコネクタ３２Ｋｃ、フレキシブルプリント基板を介してタッチパッドＴと接続されるコネクタ３２Ｔｃが実装されている。
【００２６】
ラジエータＲには、ヒートパイプを介してＣＰＵの熱が伝達され、ファンＦはラジエータＲに送風して冷却する。これにより、ＣＰＵの放熱を促進できる。従って、ラジエータＲは縁１５の排気口１５ｆと対向するように配置され、ファンＦはラジエータＲを通過して排気口１５ｆから空気が排出されるように配置されている。
【００２７】
プリント基板３０、４０はフラットケーブルＣ４を介して、プリント基板３０、５０はフラットケーブルＣ５を介して、プリント基板３０、６０はフラットケーブル（以下、ケーブルと称する）Ｃ６を介して電気的に接続されている。ケーブルＣ４は、プリント基板３０、４０の表面にそれぞれ実装されたコネクタ３４ｃ、４３ｃを接続している。ケーブルＣ５は、プリント基板３０、５０の裏面にそれぞれ実装されたコネクタ３５ｃ、５３ｃを接続している。ケーブルＣ６は、プリント基板３０の表面、プリント基板６０の裏面にそれぞれ実装されたコネクタ３６ｃ、６３ｃを接続している。
【００２８】
このように、プリント基板３０は、他のプリント基板４０、５０、６０と電気的に接続されている。筐体１０に収納された一対のプリント基板３０、４０、一対のプリント基板３０、５０、一対のプリント基板３０、６０は、それぞれ第１及び第２プリント基板の一例である。尚、図６において、ケーブルＣ４〜Ｃ６を点線で示している。ケーブルＣ４〜Ｃ６は、例えば複数のケーブルが並列に並ぶように接合されたフラットケーブルであり、接続部材の一例である。接続部材は、フラットケーブルに限定されず、例えば単数又は複数本のケーブルや、可撓性を有したフレキシブルプリント基板、硬質の中継プリント基板であってもよい。
【００２９】
プリント基板３０〜６０は、それぞれ筐体１０に対する位置決め用の孔３１ｐ〜６１ｐが形成されている。筐体１０のリアケース側には、これら孔３１ｐ〜６１ｐに嵌合する突起が形成されている。孔３１ｐ〜６１ｐをそれぞれ筐体１０のリアケースに形成された突起に嵌合させることにより、プリント基板３０〜６０を筐体１０内の所望の位置に配置できる。
【００３０】
次に筐体１０ａについて説明する。図７に示すように、筐体１０ａ内でのプリント基板３０からプリント基板４０、５０、６０の各間隔は、筐体１０内でのプリント基板３０からプリント基板４０、５０、６０の各間隔よりも大きい。このため、筐体１０ａ内で使用されているケーブルＣ４ａ〜Ｃ６ａはそれぞれ筐体１０内で使用されているケーブルＣ４〜Ｃ６よりも長い。
【００３１】
次に、これらプリント基板の位置について説明する。図６、７に示すように、縁１３、１５の延長線の交点、縁１３ａ、１５ａの延長線の交点を原点Ｐとする。原点Ｐは、筐体１０、１０ａの角部に相当する。縁１３、１３ａに平行な方向をＸ方向、縁１５、１５ａに平行な方向をＹ方向とする。原点Ｐからのプリント基板３０の孔３１ｐのＸ方向の距離Ｘ３、Ｙ方向の距離Ｙ３は、筐体１０においても筐体１０ａにおいても同じである。同様に、ネジにより筐体１０、１０ａに固定されているファンＦの孔Ｆｐの位置から原点Ｐまでの距離ＸＦ、ＹＦも、筐体１０、１０ａにおいて同じである。従って、ファンＦに対向配置されたラジエータＲの位置から原点Ｐまでの距離も、筐体１０、１０ａにおいて同じである。バッテリＢの長手方向の中心位置から原点Ｐまでの距離ＸＢも、筐体１０、１０ａにおいて同じである。このように、プリント基板３０、ファンＦ、ラジエータＲ、バッテリＢの位置は、大きさが異なる筐体１０、１０ａにおいても、原点Ｐから等しい距離に配置されている。
【００３２】
筐体１０、１０ａにおいて、プリント基板３０は縁１５、１５ａに沿うように配置されている。この理由は、プリント基板３０に実装されたコネクタ群１５ｃを縁１５、１５ａに位置するようにするためである。大きさが異なる筐体１０、１０ａにおいても、コネクタ群１５ｃを縁１５、１５ａに設けることにより、ユーザが外部装置をコネクタ群１５ｃに容易に接続できる。
【００３３】
筐体１０、１０ａにおいて、原点Ｐから孔４１ｐまでの距離Ｘ４は同じである。しかし、筐体１０ａにおける原点Ｐから孔４１ｐまでの距離Ｙ４ａは、筐体１０での距離Ｙ４よりも長い。プリント基板４０が縁１４、１４ａ側に配置されているからである。この理由は、図１Ａ、３Ａに示したようにインジケータ部Ｉが縁１４、１４ａに設けられているからである。インジケータ部Ｉは、筐体１０、２０、１０ａ、２０ａが閉じた状態でもユーザがインジケータ部Ｉを視認しやすいように、正面側の縁１４、１４ａに設けられている。このため、筐体１０でのプリント基板３０、４０間の距離と、筐体１０ａでのプリント基板３０、４０間の距離が異なっている。筐体１０でのプリント基板３０、４０間のＹ方向の距離は縁１５の長さに対応しており、筐体１０ａでのプリント基板３０、４０間のＹ方向の距離は縁１５ａの長さに対応している。
【００３４】
筐体１０、１０ａにおいて、原点Ｐから孔５１ｐまでの距離Ｙ５は同じである。しかしながら、筐体１０ａにおける原点Ｐから孔５１ｐまでの距離Ｘ５ａは、筐体１０における原点Ｐから孔５１ｐまでの距離Ｘ５よりも長い。この理由は、プリント基板５０はドライブＯＤＤに隣接して接続され、ドライブＯＤＤは縁１６、１６ａ側に配置されているからである。即ち、ユーザがドライブＯＤＤを操作できるようにするために、ドライブＯＤＤを縁１６、１６ａに配置する必要があるからである。このため、筐体１０でのプリント基板３０、５０間の距離と、筐体１０ａでのプリント基板３０、５０間の距離が異なっている。筐体１０でのプリント基板３０、５０間のＸ方向の距離は縁１３の長さに対応している。筐体１０ａでのプリント基板３０、５０間のＸ方向の距離は縁１３ａに対応している。
【００３５】
筐体１０、１０ａにおいて、原点Ｐから孔６１ｐまでの距離Ｙ６は同じであるが、筐体１０ａにおける原点Ｐから孔６１ｐまでの距離Ｘ６ａは、筐体１０における原点Ｐから孔４１ｐまでの距離Ｘ６よりも長い。プリント基板６０が縁１６、１６ａ側に配置されているからである。この理由は、プリント基板６０にはコネクタ群１６ｃが実装され、ユーザのコネクタ群１６ｃへのアクセス性や筐体１０、１０ａ内で配置スペースを考慮したからである。このため、筐体１０でのプリント基板３０、６０間の距離と、筐体１０ａでのプリント基板３０、６０間の距離が異なっている。筐体１０でのプリント基板３０、６０間のＸ方向の距離は縁１４に対応している。筐体１０ａでのプリント基板３０、６０間のＸ方向の距離は縁１４ａに対応している。
【００３６】
このように、プリント基板４０、５０、６０は、筐体１０、１０ａの大きさに応じて原点Ｐからの距離が異なる位置に配置されている。この理由は、上述したように、インジケータ部Ｉへの視認性や、コネクタ群１６ｃやドライブＯＤＤへの操作性、アクセス性等を考慮してプリント基板４０、５０、６０それぞれ筐体１０、１０ａ上での所望の位置に配置されているからである。このように、プリント基板３０からプリント基板４０、５０、６０の各間隔は、筐体１０、１０ａとにおいて異なっている。このため、プリント基板３０と、プリント基板４０、５０、６０がそれぞれ、ケーブルＣ４〜Ｃ６、Ｃ４ａ〜Ｃ６ａを介して電気的に接続されている。
【００３７】
これにより、これらプリント基板３０等をそれぞれ筐体１０、１０ａの所望の位置に配置して各プリント基板に実装又は接続された電子部品を所望の位置に配置できる。更に、これら複数のプリント基板を大きさの異なる筐体１０、１０ａにおいても共通に使用することができる。これにより、筐体１０、１０ａの製造コストが低減される。
【００３８】
上述したように、筐体１０、１０ａにおいて、プリント基板の中で最も大きいプリント基板３０から原点Ｐまでの距離は同じである。このため、原点Ｐからコネクタ３２Ｂｃの距離は同じであり、原点ＰからのバッテリＢの距離は同じである。このため、筐体１０、１０ａにおいて、同一のバッテリＢをプリント基板３０のコネクタ３２Ｂｃに接続することができる。また、プリント基板３０の裏面に実装されているコネクタ３８ｃから原点Ｐまでの距離も、筐体１０、１０ａにおいて同じである。これにより、大きさが異なる筐体１０、１０ａを共通のポートリプリケータ８０へ装着できる。
【００３９】
筐体１０、１０ａにおいて、原点Ｐからのプリント基板４０のＸ方向の距離Ｘ４は同じであるがこれに限定されない。換言すれば、筐体１０、１０ａにおいて、プリント基板３０とプリント基板４０とは、Ｙ方向の距離が異なっているだけであるが、Ｘ方向の距離も異なっていてもよい。同様に、筐体１０、１０ａにおいて、原点Ｐからのプリント基板５０のＹ方向の距離Ｙ５は同じであるが異なっていてもよく、原点Ｐからのプリント基板６０のＹ方向の距離Ｙ６は同じであるが異なっていてもよい。
【００４０】
筐体１０、１０ａにおいて、ケーブルＣ４〜Ｃ６、Ｃ４ａ〜Ｃ６ａは、それぞれ長さが異なっているがこれに限定されない。即ち、筐体１０、１０ａにおいて同じ長さのケーブルを共用してもよい。例えば、筐体１０ａで使用されているケーブルＣ６ａをケーブルＣ６の代わりに筐体１０でも使用し、余長部分を折り曲げてもよい。これにより、製造コストが低下する。
【００４１】
筐体１０、１０ａにおいて、原点ＰからファンＦまでの距離ＹＦは同じであり、ファンＦはプリント基板３０等よりも原点Ｐの近くに配置されている。このように、コンピュータ１、１ａを使用するユーザから離れた位置にファンＦが配置されており、ファンＦからの風や音によりユーザに不快感を与えることを防止している。
【００４２】
以上本発明の好ましい一実施形態について詳述したが、本発明は係る特定の実施形態に限定されるものではなく、特許請求の範囲に記載された本発明の要旨の範囲内において、種々の変形・変更が可能である。
【００４３】
上記実施例においては、電子装置の一例としてノート型コンピュータを例に説明したが、電子装置はそれ以外であってもよい。電子装置は、例えばタブレット型コンピュータ、携帯電話、携帯テレビ、電子辞書、ＰＤＡ、ゲーム機、カメラ、音楽プレイヤー、ナビゲーション装置、携帯型プロジェクタ等の携帯装置であってもよい。また、電子装置は、例えばデスクトップ型のコンピュータ、モニタ、ディスプレイ一体型コンピュータ、テレビ、オーディオ、プロジェクタ、その他の家電装置等の据置き型の装置であってもよい。
【００４４】
例えば、互いに大きさが異なっている筐体は、大きさが異なっているタブレット型コンピュータに使用される筐体、携帯電話の筐体、モニタの筐体、ディスプレイ一体型コンピュータの筐体、テレビの筐体、であってもよい。
【００４５】
互いに大きさが異なっている筐体は、同種の電子装置の筐体に限定されない。例えば、ノート型コンピュータ、タブレット形コンピュータ、ディスプレイ一体型コンピュータ、等で使用される大きさが異なる筐体であってもよい。これらの筐体にも、共通にプリント基板を使用できる。
【００４６】
プリント基板に接続又は実装される電子部品は、コネクタや発光ダイオード、ドライブＯＤＤ以外であってもよい。例えば、電子部品は、ユーザにより操作可能な操作部、所定の情報を表示可能な表示部、その他カメラ、センサ等であってもよい。操作部としては、例えばボタン、スイッチ、レバー、トラックボール、ホイール、タッチパッド、タッチディスプレイ等であってもよい。表示部としては、例えば液晶ディスプレイ、インジケータ、回転可能な指針等であってもよい。センサとしては、例えばユーザ認証用の指紋センサ等であってもよい。
【００４７】
互いに大きさが異なっている筐体の形状は、相似形に限定されない。例えば、大きさが異なる筐体の短手及び長手方向の一方の長さは同じであり他方が異なっている場合であってもよい。筐体の形状は矩形状に限定されず、円状、球状、筒状、ボックス状等であってもよい。
【００４８】
上記実施例において、支持装置の一例としてポートリプリケータを例に説明したがそれ以外であってもよい。支持装置は、例えば電子装置に接続可能な充電器クレードルや、電子装置に商業電力を供給するためのアダプタであってもよい。支持装置は、大きさが異なる同種の電子装置以外に使用できるものであってもよく、例えば、タブレット型コンピュータとノート型コンピュータに使用できるものであってもよい。
【００４９】
上記実施例では、複数のプリント基板は略平行に配置されて、複数のプリント基板が面方向に並んでいる場合を例に説明したがこれに限定されない。例えば、一の筐体内で複数のプリント基板が互いに直交するように配置されていてもよい。略平行に配置された複数のプリント基板が面と垂直な方向に間隔をあけて配置されていてもよい。
【符号の説明】
【００５０】
１、１ａ  ノート型コンピュータ（電子装置）
１０、１０ａ  筐体
３０、４０、５０、６０  プリント基板
１５ｃ、１６ｃ  コネクタ群
３８ｃ  コネクタ
Ｌ  発光ダイオード
Ｉ  インジケータ部
ＯＤＤ  光ディスクドライブ
Ｃ４〜Ｃ６、Ｃ４ａ〜Ｃ６ａ  フラットケーブル
８０  ポートリプリケータ
Ｂ  バッテリ
Ｆ  ファン
【図１】
2014137645.tif 000003
【図２】
2014137645.tif 000004
【図３】
2014137645.tif 000005
【図４】
2014137645.tif 000006
【図５】
2014137645.tif 000007
【図６】
2014137645.tif 000008
【図７】
2014137645.tif 000009
【図８】
2014137645.tif 000010